(57)【要約】【課題】ＡＰＣ回路の制御ゲインの調整範囲を小さくできると共に、記録可能速度を速くできて、しかも製造コストが低い光ピックアップ装置を提供する。【解決手段】光ピックアップ装置は第１受発光一体型素子１および第２受発光一体型素子を備える。第１受発光一体型素子１は光ディスクへ向けてレーザビーム１０を出射し、第２受発光一体型素子は、レーザビーム１０と異なる波長のレーザビームを光ディスクへ向けて出射する。第１受発光一体型素子１のレーザビーム１０の光軸１２と、第２受発光一体型素子のレーザビームの光軸とは、ＤＢＳ３の出力側において略一致する。ＤＢＳ３の近傍には、第１，第２受発光一体型素子１から出射された有効領域外のレーザビーム１６を反射してモニタ用光検出素子９の受光面９ａに導く反射ミラー７４を配置している。【選択図】図１２
2006127764.tif 000002
【特許請求の範囲】
【請求項１】
情報記録媒体に対して、情報の再生、消去及び記録の少なくとも１つを行う光ピックアップ装置において、
上記情報記録媒体へ向けてレーザビームを出射する第１光源と、
上記第１光源のレーザビームの波長と異なる波長のレーザビームを上記情報記録媒体へ向けて出射すると共に、上記第１光源のレーザビームの光軸に非平行な光軸を有する第２光源と、
上記第１，第２光源から出射されたレーザビームが経由するように配置され、上記第１光源のレーザビームの光軸と上記第２光源のレーザビームの光軸とを出力側において略一致させる光学素子と、
上記第１，第２光源から出射された上記レーザビームの一部を受光するモニタ用光検出素子と、
上記モニタ用光検出素子の受光面に上記光学素子を介して対向する反射ミラーと
を備え、
上記モニタ用光検出素子の受光面は上記第１，第２光源のレーザビームの光軸に対して略平行であり、
上記第１，第２光源から上記光学素子方向に出射されるレーザービームは、水平方向に比べ垂直方向の放射角が広い楕円形状であり、
上記反射ミラーによって、上記レーザービームの一部を反射し、上記モニタ用光検出素子の受光面に導くことを特徴とする光ピックアップ装置。
【請求項２】
請求項１に記載の光ピックアップ装置において、
上記反射ミラーは、上記第１，第２光源、上記光学素子及び上記モニタ用光検出素子を収容する筐体の一部を用いて形成されていることを特徴とする光ピックアップ装置。
【発明の詳細な説明】
【技術分野】
【０００１】
本発明は、情報記録媒体に対して、情報の再生、消去及び記録の少なくとも１つを行う光ピックアップ装置に関する。
【背景技術】
【０００２】
従来、光ピックアップ装置としては、図１４，図１５に示すようなものがある。図１４は上記光ピックアップ装置の構成を側方から見た模式図であり、図１５は上記光ピックアップ装置の構成を上方から見た模式図である。図１４，図１５において、１０１，１０２はそれぞれ互いに異なる波長のレーザビームを出射する第１，第２受発光一体型素子（例えば、ホログラムレーザ素子やレーザカプラなど）、１０３はダイクロイックビームスプリッタ（以下、「ＤＢＳ」と言う）、１０４はコリメートレンズ、１０５は立上ミラー、１０６は１／４波長板、１０７は対物レンズ、１０８は光ディスク、１０９はモニタ用光検出素子、１１０，１１１は有効領域のレーザビーム、１１２，１１３は光軸である。
【０００３】
上記従来の光ピックアップ装置によれば、図１４に示すように、第１受発光一体型素子１０１から出射された有効領域のレーザビーム１１０は、ＤＢＳ１０３を透過した後、コリメートレンズ１０４で平行ビームとなり、立上ミラー１０５で直角に折り曲げられ、１／４波長板１０６を透過し、対物レンズ１０７により光ディスク１０８の記録面に集光される。このとき、上記第１受発光一体型素子１０１から出射された有効領域のレーザビーム１１０の数パーセントが、図１５に示すように、ＤＢＳ１０３で反射されてモニタ用光検出素子１０９に入射する。上記モニタ用光検出素子１０９は、入射したレーザビームの光量に応じた電気信号を出力する。この電気信号によって、図示しないオートパワーコントロール（以下、「ＡＰＣ」と言う）回路が駆動する。このＡＰＣ回路によって第１受発光一体型素子１０１の出力がＡＰＣ制御されて、光ディスク１０８の記録面に集光するレーザビームが適当なパワーとなる。
【０００４】
上記第２受発光一体型素子１０２から出射された有効領域のレーザビーム１１１は、数パーセントがＤＢＳ１０３を透過し残りがＤＢＳ１０３で反射される。上記ＤＢＳ１０３で反射された反射ビームは、第１受発光一体型素子１０１が出射するレーザビーム１１０と同様の経路を辿り、光ディスク１０８の記録面に集光される。一方、上記ＤＢＳ１０３を透過したレーザビーム１１１はモニタ用光検出素子１０９に入射する。これにより、第１受発光一体型素子１０１の場合と同様に、第２受発光一体型素子１０２の出力がＡＰＣ制御されて、光ディスク１０８の記録面に集光するレーザビームが適当なパワーとなる。
【０００５】
また、上記光ディスク１０８で反射された反射ビームは、対物レンズ１０７、１／４波長板１０６、立上ミラー１０５、コリメートレンズ１０４及びＤＢＳ１０３を順次経由して、第１受発光一体型素子１０１または第２受発光一体型素子１０２に戻る。そうすると、上記光ディスク１０８からの反射ビームが、第１受発光一体型素子１０１または第２受発光一体型素子１０２内の受光素子（図示せず）で受光されて、光ディスク１０８に記録された情報が検出される。
【０００６】
図１６に、他の従来の光ピックアップ装置の構成を上方から見た模式図を示す。また、図１６において、図１４，図１５に示した構成部品と同一構成部品には、図１４，図１５における構成部品と同一参照番号を付して説明を省略する。
【０００７】
上記他の従来の光ピックアップ装置では、第１受発光一体型素子１０１から出射された有効領域外のレーザビーム１１４をモニタ用光検出素子１１６で受光すると共に、第２受発光一体型素子１０２から出射された有効領域外のレーザビーム１１５をモニタ用光検出素子１１７で受光する。このモニタ用光検出素子１１６，１１７からの電気信号によって図示しないＡＰＣ回路が駆動して、第１，第２受発光一体型素子１０１，１０２の出力が制御される。
【０００８】
ところで、上記ＤＢＳ１０３は、反射／透過率特性をコントロールする膜を有している。この膜は、成膜が困難であり、温度によっても反射／透過率特性が大きく変化する。また、上記ＤＢＳ１０３は製品毎のバラツキが大きい。したがって、図１４，図１５の光ピックアップ装置を複数製造した場合、第１，第２受発光一体型素子１０１，１０２から出射されるレーザビーム１１０，１１１の光量と、モニタ用光検出素子１０９に入射するレーザビームの光量との関係において、バラツキが大きくなる。その結果、上記ＡＰＣ回路の制御ゲインの調整範囲を大きくしなければならないとういう問題がある。
【０００９】
ＣＤ−Ｒ（書き込み可能なコンパクトディスク）やＤＶＤ−Ｒ（書き込み可能なデジタル万能ディスク）などの記録型光ディスクへの記録速度は、光ディスクの記録面に集光させるレーザビームのパワーに比例するため、レーザビームの利用効率が高い方が高速記録することができる。
【００１０】
図１４，図１５の光ピックアップ装置によれば、ＤＢＳ１０３を介してモニタ用光検出素子１０９に入射するレーザビームの光量分だけ、光ディスク１０８の記録面に集光されるレーザビームのパワーは減少し、記録可能速度が遅くなるという問題がある。この問題は、光ピックアップ装置の性能、品質、信頼性及び設計に大きく関わる。
【００１１】
図１６の光ピックアップ装置では、有効領域外のレーザビーム１１４，１１５をモニタ用光検出素子１１６，１１７に導くので、光ディスクの記録面に集光させるレーザビームのパワーを減少しない。
【００１２】
しかしながら、図１６の光ピックアップ装置は、ＤＢＳ１０３の反射／透過率特性のバラツキの影響は受けないが、モニタ用光検出素子１１６，１１７が２ついるので、部品点数が増加し、モニタ用光検出素子１１６，１１７を配置するための作業が増大するので、製造コストが高くなってしまうという問題がある。
【００１３】
また、上記モニタ用光検出素子１１６，１１７の位置は有効領域のレーザビーム１１０，１１１に近いため、モニタ用光検出素子１１６，１１７の位置が少しずれても、有効領域のレーザビーム１１０，１１１をけってしまう恐れがある。つまり、有効領域のレーザビーム１１０，１１１が低減する恐れがある。このような事態は、光ピックアップ装置の性能、品質及び信頼性に大きく関わる。
【発明の開示】
【発明が解決しようとする課題】
【００１４】
そこで、本発明の目的は、ＡＰＣ回路の制御ゲインの調整範囲を小さくできると共に、記録可能速度を速くできて、しかも製造コストが低い光ピックアップ装置を提供することにある。
【課題を解決するための手段】
【００１５】
上記目的を達成するために、本発明の光ピックアップ装置は、
情報記録媒体に対して、情報の再生、消去及び記録の少なくとも１つを行う光ピックアップ装置において、
上記情報記録媒体へ向けてレーザビームを出射する第１光源と、
上記第１光源のレーザビームの波長と異なる波長のレーザビームを上記情報記録媒体へ向けて出射すると共に、上記第１光源のレーザビームの光軸に非平行な光軸を有する第２光源と、
上記第１，第２光源から出射されたレーザビームが経由するように配置され、上記第１光源のレーザビームの光軸と上記第２光源のレーザビームの光軸とを出力側において略一致させる光学素子と、
上記第１，第２光源から出射された上記レーザビームの一部を受光するモニタ用光検出素子と、
上記モニタ用光検出素子の受光面に上記光学素子を介して対向する反射ミラーと
を備え、
上記モニタ用光検出素子の受光面は上記第１，第２光源のレーザビームの光軸に対して略平行であり、
上記第１，第２光源から上記光学素子方向に出射されるレーザービームは、水平方向に比べ垂直方向の放射角が広い楕円形状であり、
上記反射ミラーによって、上記レーザービームの一部を反射し、上記モニタ用光検出素子の受光面に導くことを特徴としている。
【００１６】
上記構成の光ピックアップ装置によれば、上記第１，第２光源から出射されたレーザビームは光学素子を経由した後、情報記録媒体に照射される。このとき、上記モニタ用光検出素子の受光面が第１，第２光源のレーザビームの光軸に対して略平行であるから、第１，第２光源の有効領域外のレーザビームがモニタ用光検出素子の受光面に入射する。このように、上記モニタ用光検出素子が第１，第２光源の有効領域外のレーザビームを受光するので、モニタ用光検出素子の受光量は装置毎に大きく変わらない。したがって、上記第１，第２光源の出力を例えばＡＰＣ回路で制御する場合、そのＡＰＣ回路の制御ゲインの調整範囲を小さくすることができる。
【００１７】
また、上記モニタ用光検出素子は第１，第２光源の有効領域外のレーザビームを受光するので、情報記録媒体に照射されるレーザビームの光量が減少せず、情報記録媒体に対する記録可能速度を速くすることができる。
【００１８】
また、上記第１，第２光源の有効領域外のレーザビームがモニタ用光検出素子の受光面に入射するので、第１，第２光源の出力をＡＰＣ制御するためのモニタ用光検出素子の数は１つで済む。したがって、部品点数が減少し、製造コストを低く抑えることができる。
【００１９】
本明細書において、情報記録媒体とは、光ディスク、光磁気ディスクあるいは相変化型光ディスクなどを指す。
【００２０】
一実施形態の光ピックアップ装置では、上記反射ミラーは、上記第１，第２光源、上記光学素子及び上記モニタ用光検出素子を収容する筐体の一部を用いて形成されている。
【００２１】
上記実施形態の光ピックアップ装置によれば、上記反射ミラーが筐体の一部を用いて形成されているので、部品点数が増えるのを防ぐことができる。
【発明の効果】
【００２２】
本発明の光ピックアップ装置によれば、モニタ用光検出素子の受光面が第１，第２光源のレーザビームの光軸と略平行であるので、第１，第２光源の有効領域外のレーザビームがモニタ用光検出素子の受光面に入射する。したがって、上記モニタ用光検出素子の受光量は装置毎に大きく変わらず、第１，第２光源の出力を例えばＡＰＣ回路で制御する場合、そのＡＰＣ回路の制御ゲインの調整範囲を小さくすることができる。
【００２３】
また、上記モニタ用光検出素子は第１，第２光源の有効領域外のレーザビームを受光するので、情報記録媒体に照射されるレーザビームの光量が減少せず、情報記録媒体に対する記録可能速度を速くすることができる。
【００２４】
また、上記第１，第２光源の有効領域外のレーザビームがモニタ用光検出素子の受光面に入射するので、第１，第２光源の出力をＡＰＣ制御するためのモニタ用光検出素子の数は１つで済み、製造コストを低く抑えることができる。
【００２５】
また、上記光学素子の近傍に、モニタ用光検出素子に入射するレーザビームを増加させるための反射ミラーを配置しているので、モニタ用光検出素子に入射するレーザビームが増加し、モニタ用光検出素子に入射するレーザビームを安定してモニタできる。
【発明を実施するための最良の形態】
【００２６】
本発明の実施の形態を説明する前に、まず、本発明をより理解し易くするために参考例を説明する。
【００２７】
（参考例１）
図１に、本発明の参考例１の光ピックアップ装置の構成を側方から見た模式図を示し、図２に、上記光ピックアップ装置の構成を上方から見た模式図を示す。
【００２８】
上記光ピックアップ装置は、図１，図２に示すように、情報記録媒体の一例としての光ディスク８へ向けてレーザビーム１０を出射する第１光源の一例としての第１受発光一体型素子１と、そのレーザビーム１０と異なる波長のレーザビーム１１を光ディスク８へ向けて出射する第２光源の一例としての第２受発光一体型素子２と、レーザビーム１０，１１が経由するように配置された光学素子の一例としての立方体形状のＤＢＳ３と、このＤＢＳ３の近傍かつ上方に配置されたモニタ用光検出素子９とを備えている。上記ＤＢＳ３と光ディスク８との間の光路には、コリメートレンズ４、立上ミラー５、１／４波長板６および対物レンズ７を配置している。
【００２９】
上記第１受発光一体型素子１のレーザビーム１０の光軸１２と、第２受発光一体型素子２のレーザビーム１１の光軸１３とは非平行となっている。そして、上記光軸１２と光軸１３とはＤＢＳ３で略直交する。また、上記ＤＢＳ３は、光軸１２と光軸１３とを出力側において略一致させる。
【００３０】
上記モニタ用光検出素子９の受光面９ａは光軸１２，１３に対して略平行になっている。そして、上記モニタ用光検出素子９は、第１受発光一体型素子１が出射する有効領域外のレーザビーム１４が受光面９ａに入射するように配置されていると共に、第２受発光一体型素子２が出射する有効領域外のレーザビームが受光面９ａに入射するように配置されている。
【００３１】
図示しないが、上記第１，第２受発光一体型素子１，２の内部には、発光素子と、光ディスク８で反射された反射ビームを受光する受光素子とをそれぞれ設置している。そして、上記第１，第２受発光一体型素子１，２において、発光素子と受光素子とは一体化されている。
【００３２】
上記構成の光ピックアップ装置は、上記第１受発光一体型素子１から出射された有効領域のレーザビーム１０は、ＤＢＳ３を透過した後、コリメートレンズ４で平行ビームとなり、立上ミラー５で直角に折り曲げられ、１／４波長板６を透過し、対物レンズ７により光ディスク８の記録面に集光される。そして、上記光ディスク８で反射された反射ビームは、往路と同様の経路を辿って第１受発光一体型素子１に戻る。これにより、上記光ディスク８で反射された反射ビームが第１受発光一体型素子１内の受光素子で受光される。そして、この受光素子が出力する電気信号に基づいて、光ディスク８に記録された情報が検出される。
【００３３】
また、上記第２受発光一体型素子２から出射された有効領域のレーザビーム１１はＤＢＳ３で反射された後、コリメートレンズ４、立上ミラー５及び１／４波長板６を順次経由し、対物レンズ７により光ディスク８の記録面に集光される。そして、上記光ディスク８で反射された反射ビームは、往路と同様の経路を辿って第２受発光一体型素子２に戻る。これにより、上記光ディスク８で反射された反射ビームが第２受発光一体型素子２内の受光素子で受光される。そして、この受光素子が出力する電気信号に基づいて、光ディスク８に記録された情報が検出される。
【００３４】
ところで、上記第１，第２受発光一体型素子１，２から出射されるレーザビームは、水平方向に比べ垂直方向の放射角が広い楕円形状の強度分布を有している。一方、上記光ディスク８の記録面に集光される有効領域のレーザビーム１０，１１は円形であるから、有効領域外のレーザビーム１４が垂直方向に広いと言える。
【００３５】
上記第１受発光一体型素子１から出射された有効領域外のレーザビーム１４は、モニタ用光検出素子９の受光面９ａに入射する。そして、上記モニタ用光検出素子９は、受光した有効領域外のレーザビーム１４の光量に応じた電気信号を出力する。この電気信号が図示しないＡＰＣ回路に供給されて、ＡＰＣ回路が駆動する。これにより、上記第１受発光一体型素子１の出力が制御されて、光ディスク８の記録面に集光するレーザビームが適当なパワーとなる。
【００３６】
また、上記第２受発光一体型素子２から出射された有効領域外のレーザビームは、モニタ用光検出素子９の受光面９ａに入射する。そして、上記モニタ用光検出素子９は、受光した有効領域外のレーザビームの光量に応じた電気信号を出力する。この電気信号がＡＰＣ回路に供給されて、ＡＰＣ回路が駆動する。これにより、上記第２受発光一体型素子２の出力が制御されて、光ディスク８の記録面に集光するレーザビームが適当なパワーとなる。
【００３７】
このように、上記モニタ用光検出素子９の受光面９ａが光軸１２，１３に対して略平行であることにより、第１，第２受発光一体型素子１，２の有効領域外のレーザビーム１４はモニタ用光検出素子９の受光面９ａに入射する。したがって、上記モニタ用光検出素子９の受光量が装置毎に大きく変化せず、ＡＰＣ回路の制御ゲインの調整範囲を小さくすることができる。
【００３８】
また、上記モニタ用光検出素子９は第１，第２受発光一体型素子１，２の有効領域外のレーザビーム１４を受光するので、光ディスク８に照射されるレーザビームの光量が減少せず、光ディスク８の記録可能速度を速めることができる。
【００３９】
また、上記第１，第２受発光一体型素子１，２の有効領域外のレーザビーム１４を一つのモニタ用光検出素子９で受光するので、第１，第２受発光一体型素子１，２の出力を制御するために必要な部品点数が減少し、製造コストを低く抑えることができる。
【００４０】
また、上記モニタ用光検出素子９は、受光面９ａが光軸１２，１３に対して略平行になるようにＤＢＳ３の近傍かつ上方に配置するから、モニタ用光検出素子９の位置が少しずれても、モニタ用光検出素子９は有効領域のレーザビーム１０，１１にかからない。したがって、上記光ピックアップ装置の性能、品質及び信頼性が低下するのを阻止することができる。
【００４１】
また、上記第１，第２受発光素子１，２の発光素子は、光ディスク８で反射された反射ビームを受光する受光素子と一体化されているので、部品点数をより少なくすることができる。
【００４２】
上記参考例１では、モニタ用光検出素子９をＤＢＳ３の近傍かつ上方に配置したが、ＤＢＳ３の近傍かつ下方に配置してもよい。この場合も、上記モニタ用光検出素子９の受光面９ａは光軸１２，光軸１３に対して略平行にする。
【００４３】
また、上記光ピックアップ装置は、光ディスク８の情報の再生、消去及び記録の少なくとも１つを行うものであればよい。
【００４４】
また、上記第１受発光一体型素子１のレーザビーム１０を照射する光ディスク８の種類と、第２受発光一体型素子２のレーザビーム１１を照射する光ディスク８の種類とが互いに異なるのは言うまでもない。例えば、上記第１受発光一体型素子１のレーザビーム１０をＣＤに照射し、第２受発光一体型素子２のレーザビーム１１をＤＶＤに照射するようにしてもよい。
【００４５】
また、上記光ディスク８の代わりに、相変化型光ディスクや光磁気ディスクを用いてもよい。
【００４６】
上記第１，第２受発光一体型素子１，２としては、例えばホログラムレーザ素子やレーザカプラなどがある。また、上記第１，第２受発光一体型素子１，２内の発光素子としては、例えば半導体レーザ素子などがある。
【００４７】
（参考例２）
図３に、本発明の参考例２の光ピックアップ装置の構成を上方から見た図を示す。また、図３において、図１，図２で示した構成部品と同一構成部品には、図１，図２における構成部品と同一参照番号を付して説明を省略する。
【００４８】
図１，図２の光ピックアップ装置は第１，第２受発光一体型素子１，２を備えていたが、本参考例２の光ピックアップ装置は、図３に示すように、光ディスク（図示せず）へ向けてレーザビーム２３を出射する第１光源の一例としての第１発光素子２１と、そのレーザビーム２３と異なる波長のレーザビーム２４を光ディスクへ向けて出射する第２光源の一例としての第２発光素子２２とを備えている。上記第１，第２発光素子２１，２２は、光ディスクで反射された反射ビームを受光する受光素子３１，３２と分離されている。この受光素子３１，３２とＤＢＳ３との間の光路には、ビームスプリッタ２７，２８およびシリンドリカルレンズ２９，３０を配置している。
【００４９】
上記第１発光素子２１のレーザビーム２３の光軸２５と、第２発光素子２２のレーザビーム２４の光軸２６とは非平行となっている。そして、上記光軸２５と光軸２６とはＤＢＳ３で略直交する。また、上記ＤＢＳ３は、光軸２５と光軸２６とを出力側において略一致させる。
【００５０】
上記モニタ用光検出素子９の受光面９ａ（図１参照）は光軸２５，２６に対して略平行になっている。そして、上記モニタ用光検出素子９は、第１，第２発光素子２１，２２が出射する有効領域外のレーザビームが受光面９ａに入射するように配置されている。
【００５１】
上記構成の光ピックアップ装置によれば、上記第１発光素子２１から出射された有効領域のレーザビーム２３はＤＢＳ３を透過した後、コリメートレンズ４で平行ビームとなり、立上ミラー５で直角に折り曲げられ、１／４波長板６を透過し、対物レンズ７により光ディスクの記録面に集光される。そして、上記光ディスクで反射された反射ビームは、往路と同様の経路を辿ってＤＢＳ３を透過した後、ビームスプリッタ２７で反射され、シリンドリカルレンズ２９を通って受光素子３１に入射する。この受光素子３１が出力する電気信号に基づいて、光ディスクに記録された情報が検出される。
【００５２】
また、上記第２発光素子２２から出射された有効領域のレーザビーム２４はＤＢＳ３で反射された後、コリメートレンズ４、立上ミラー５及び１／４波長板６を順次経由し、対物レンズ７により光ディスクの記録面に集光される。そして、上記光ディスクで反射された反射ビームは、往路と同様の経路を辿ってＤＢＳ３で反射された後、さらにビームスプリッタ２８で反射され、シリンドリカルレンズ３０を通って受光素子３２に入射する。この受光素子３２が出力する電気信号に基づいて、光ディスクに記録された情報が検出される。
【００５３】
また、上記モニタ用光検出素子９の受光面９ａが光軸２５，２６に対して略平行であることにより、第１，第２発光素子２１，２２の有効領域外のレーザビームはモニタ用光検出素子９の受光面９ａに入射するので、モニタ用光検出素子９の受光量が装置毎に大きく変化せず、ＡＰＣ回路の制御ゲインの調整範囲を小さくすることができる。
【００５４】
また、上記モニタ用光検出素子９は第１，第２発光素子２１，２２の有効領域外のレーザビームを受光するので、光ディスクに照射されるレーザビームの光量が減少せず、光ディスクの記録可能速度を速くできる。
【００５５】
また、上記第１，第２発光素子２１，２２の有効領域外のレーザビームを一つのモニタ用光検出素子９で受光するので、第１，第２発光素子２１，２２の出力をＡＰＣ制御するために必要な部品点数が減少し、製造コストを低く抑えることができる。
【００５６】
また、上記モニタ用光検出素子９は、受光面９ａが光軸２５，２６に対して略平行になるようにＤＢＳ３の近傍かつ上方に配置するから、モニタ用光検出素子９の位置が少しずれても、モニタ用光検出素子９が有効領域のレーザビーム２３，２４にかからない。したがって、上記光ピックアップ装置の性能、品質及び信頼性が低下するのを阻止することができる。
【００５７】
また、上記第１，第２発光素子２１，２２と、光ディスクからの反射ビームを受ける受光素子３１，３２とが分離されているので、光学系の設計の自由度を大きくすることができる。
【００５８】
また、上記光ピックアップ装置では、第１，第２発光素子２１，２２の周辺に多くの部品が配置されている。このような場合、図１４〜図１６の従来例ではモニタ用光検出素子の配置は困難であったが、本参考例２ではモニタ用光検出素子９をＤＢＳ３の近傍かつ上方に配置するので、モニタ用光検出素子９の配置は容易である。
【００５９】
上記参考例２では、モニタ用光検出素子９をＤＢＳ３の近傍かつ上方に配置したが、ＤＢＳ３の近傍かつ下方に配置してもよい。この場合も、上記モニタ用光検出素子９の受光面９ａは光軸２５，光軸２６に対して略平行にする。
【００６０】
また、上記参考例２では、ビームスプリッタ２７，２８を用いていたが、ビームスプリッタ２７，２８の代わりに偏光ビームスプリッタを用いてもよい。
【００６１】
また、上記第１，第２発光素子２１，２２としては、例えば半導体レーザ素子などがある。
【００６２】
また、上記第１発光素子２１の代わりに、図４に示すように、図１，図２で示した第１受発光一体型素子１を用いてもよい。この場合、図３のビームスプリッタ２７、シリンドリカルレンズ２９および受光素子３１は不要となるので、図３の光ピックアップ装置に比べて、部品点数を低減することができる。
【００６３】
図４の場合も、受光面９ａが光軸１２，光軸２６に対して略平行になるように、モニタ用光検出素子９をＤＢＳ３の近傍かつ下方に配置してもよい。
【００６４】
また、図示しないが、上記第２発光素子２２の代わりに、図１，図２で示した第２受発光一体型素子２を用いてもよい。この場合も、図３の光ピックアップ装置に比べて、部品点数を低減することができる。
【００６５】
上記第２発光素子２２の代わりに第２受発光一体型素子２を用いた場合も、モニタ用光検出素子９をＤＢＳ３の近傍かつ下方に配置してもよいのは言うまでもない。
【００６６】
（参考例３）
図５に、本発明の参考例３の光ピックアップ装置の構成を上方から見た模式図を示す。また、図５において、図１，図２で示した構成部品と同一構成部品には、図１，図２における構成部品と同一参照番号を付して説明を省略する。
【００６７】
上記光ピックアップ装置は、第１，第２受発光一体型素子１，２のレーザビーム１０，１１が経由するように配置された光学素子の一例としての非立方体形状のＤＢＳ３３を備えている。このＤＢＳ３３の近傍かつ上方にはモニタ用光検出素子９を配置していて、このモニタ用光検出素子９の受光面９ａ（図１参照）が、レーザビーム１０，１１の光軸１２，１３に対して略平行になっている。このレーザビーム１０の光軸１２と、レーザビーム１１の光軸１３とは非平行かつ非直交になっている。そして、上記ＤＢＳ３３は、光軸１２と光軸１３とを出力側において略一致させる。
【００６８】
また、図示しないが、上記光ピックアップ装置は、図１，図２の光ピックアップ装置と同様に、コリメートレンズ４、立上ミラー５、１／４波長板６および対物レンズ７を備えている。
【００６９】
上記構成の光ピックアップ装置によれば、モニタ用光検出素子９は、受光面９ａが光軸１２，１３に対して略平行になるようにＤＢＳ３３の近傍かつ上方に配置しているので、第１，第２受発光一体型素子１，２の有効領域外のレーザビームをモニタ用光検出素子９で効率よく受光することができる。
【００７０】
本参考例３の光ピックアップ装置のように、本発明の光ピックアップ装置は、立方体ではなく複雑な形状をしたＤＢＳを備えてもよい。つまり、本発明の光ピックアップ装置は、レーザビーム１０を受ける面と、レーザビーム１１を受ける面とが非直交に傾いている多面体のＤＢＳを備えてもよい。このＤＢＳは、非直交な２つの光軸を出力側において略一致させることができる。
【００７１】
また、本参考例３の光ピックアップ装置が、上記参考例１の同様の効果を奏するのは言うまでもない。
【００７２】
上記参考例３では、モニタ用光検出素子９をＤＢＳ３３の近傍かつ上方に配置したが、ＤＢＳ３３の近傍かつ下方に配置してもよい。この場合も、上記モニタ用光検出素子９の受光面９ａは光軸１２，光軸１３に対して略平行にする。
【００７３】
（参考例４）
図６に、本発明の参考例４の光ピックアップ装置の構成を上方から見た模式図を示す。また、図６において、図１，図２で示した構成部品と同一構成部品には、図１，図２における構成部品と同一参照番号を付して説明を省略する。
【００７４】
上記光ピックアップ装置は第３光源の一例としての第３受発光一体型素子４１を備えている。この第３受発光一体型素子４１は、第１，第２受発光一体型素子１，２のレーザビーム１０，１１と異なる波長のレーザビーム４２を光ディスク（図示せず）へ向けて出射する。また、上記光ピックアップ装置は、第１，第２，第３受発光一体型素子１，２，４１のレーザビーム１０，１１，４２が経由するように配置された光学素子の一例としての直方体形状のＤＢＳ４３を備えている。
【００７５】
上記レーザビーム１０の光軸１２は、第２，第３受発光一体型素子２，４１レーザビーム１１，４２の光軸１３，４４に対して非平行となっている。また、上記光軸１３は光軸４４に対して略平行になっている。そして、上記光軸１２は、光軸１３，４４に対してＤＢＳ４３で略直交する。また、上記ＤＢＳ４３は、光軸１２、光軸１３および光軸４４を出力側において略一致させる。
【００７６】
上記モニタ用光検出素子９の受光面９ａ（図１参照）は光軸１２、光軸１３および光軸４４に対して略平行になっている。そして、上記モニタ用光検出素子９は、第１受発光一体型素子１が出射する有効領域外のレーザビームが受光面９ａに入射するように配置されていると共に、第２受発光一体型素子２が出射する有効領域外のレーザビームが受光面９ａに入射するように配置されている。具体的には、上記モニタ用光検出素子９は、光軸１２と光軸１３とが交わる箇所の上方、かつ、ＤＢＳ４３の近傍に配置している。
【００７７】
図示しないが、上記第３受発光一体型素子４１の内部には、発光素子と、光ディスクで反射された反射ビームを受光する受光素子とを設置している。上記発光素子と受光素子とは一体化されている。
【００７８】
上記構成の光ピックアップ装置によれば、第３受発光一体型素子４１が出射するレーザビーム４２の波長は、第１，第２受発光一体型素子１，２が出射するレーザビーム１０，１１の波長と異なるので、第１，第２受発光一体型素子１，２が処理できない光ディスクに対して、情報の再生、消去及び記録の少なくとも１つを第３受発光一体型素子４１で行うことができる。
【００７９】
また、本参考例４の光ピックアップ装置が、上記参考例１の同様の効果を奏するのは言うまでもない。
【００８０】
なお、立上ミラー５と対物レンズ７との間には、１／４波長板６が配置している。
【００８１】
上記参考例４では、モニタ用光検出素子９をＤＢＳ４３の近傍かつ上方に配置したが、ＤＢＳ４３の近傍かつ下方に配置してもよい。この場合も、上記モニタ用光検出素子９の受光面９ａは光軸１２，光軸１３に対して略平行にする。
【００８２】
（参考例５）
図７に、本発明の参考例５の光ピックアップ装置の構成を側方から見た模式図を示す。また、図７において、図１，図２で示した構成部品と同一構成部品には、図１，図２における構成部品と同一参照番号を付して説明を省略する。
【００８３】
上記光ピックアップ装置は光学素子の一例としてのＤＢＳ５３を備えている。このＤＢＳ５３は、第１受発光一体型素子１が出射する有効領域のレーザビーム１０にかからない程度にまで上部がカットされた形状になっている。つまり、上記ＤＢＳ５３は、第１受発光一体型素子１の有効領域のレーザビーム１０に上面５３ａがかからない程度にまで薄膜化している。そして、上記ＤＢＳ５３の上面（モニタ用光検出素子９側の表面）５３ａは、レーザビーム１０，１１の光軸１２，１３（図２参照）を含む平面に対して傾斜している。
【００８４】
上記参考例５では、第１受発光一体型素子１の有効領域のレーザビーム１０に上面５３ａがかからない程度にまでＤＢＳ５３を薄膜化していたが、第２受発光一体型素子２の有効領域のレーザビーム１１（図２参照）に上面５３ａがかからない程度にまでＤＢＳ５３を薄膜化してもよい。または、上記第１受発光一体型素子１の有効領域のレーザビーム１０と、第２受発光一体型素子の有効領域のレーザビーム１１とに対して上面５３ａがかからない程度にまでＤＢＳ５３を薄膜化してもよい。
【００８５】
また、上記モニタ用光検出素子９はＤＢＳ５３の近傍かつ下方に配置してもよい。この場合は、上記ＤＢＳ５３の下面が、レーザビーム１０，１１の光軸１２，１３を含む平面に対して傾斜するようにすればよい。
【００８６】
（参考例６）
図８に、本発明の参考例６の光ピックアップ装置の構成を側方から見た模式図である。また、図８において、図１，図２で示した構成部品と同一構成部品には、図１，図２における構成部品と同一参照番号を付して説明を省略する。
【００８７】
上記光ピックアップ装置は、ＤＢＳとモニタ用光検出素子との機能を有する複合素子６３を光学素子の一例として備えている。上記複合素子６３はモニタ用光検出素子としての光検出部６３ａを上部に有しており、第１受発光一体型素子１から出射された有効領域外のレーザビーム１４が光検出部６３ａに入射する。これにより、上記レーザビーム１４がモニタ用信号として検出されて、第１受発光一体型素子１の出力をＡＰＣ制御することができる。
【００８８】
上記構成の光ピックアップ装置は、ＤＢＳとモニタ用光検出素子との機能を有する複合素子６３を備えているので、部品点数を削減することができる。
【００８９】
また、上記複合素子６３を用いているので、モニタ用光検出素子のいわゆる貼りずれや、モニタ用光検出素子の位置ずれなどで、有効領域のレーザビームがモニタ用光検出素子でけられる恐れがなくなる。つまり、モニタ用光検出素子が有効領域のレーザビームにかかる恐れがなくなる。
【００９０】
また、上記複合素子６３を用いているので、光検出部６３ａの受光において温度の変化の影響が少なくなる。
【００９１】
上記参考例６では、複合素子６３の上部に光検出部６３ａを設けていたが、複合素子６３の下部に光検出部６３ａを設けてもよい。
【００９２】
上記複合素子６３の代わりに、図９に示すように、ＤＢＳとモニタ用光検出素子との機能を有する複合素子６４を用いてもよい。この複合素子６４は、有効領域外のレーザビーム１４が入射するモニタ用光検出素子としての光検出部６４ａを上部に有している。そして、上記複合素子６４のコリメートレンズ４側の端面の一部には、反射ミラー６４ｂを設けている。この反射ミラー６４ｂは、第１受発光一体型素子１から出射された有効領域外のレーザビーム１５を反射して光検出部６４ａに導く。これにより、上記第１受発光一体型素子１から光検出部６４ａに入射するレーザビームの光量が増加し、第１受発光一体型素子１の出力を安定してＡＰＣ制御することができる。このとき、上記反射ミラー６４ｂで反射されずに、光検出部６４ａに直接入射するレーザビームの光量は減少していない。
【００９３】
上記複合素子６３の代わりに、図１０に示すように、ＤＢＳとモニタ用光検出素子との機能を有する複合素子６５を用いてもよい。この複合素子６５は、有効領域外のレーザビーム１４が入射するモニタ用光検出素子としての光検出部６５ａを上部に有している。また、上記複合素子６５の内部深くには、反射ミラー６５ｂを設けている。つまり、上記反射ミラー６５ｂは、複合素子６５の内部に埋め込まれ、露出していない。また、上記反射ミラー６５ｂは、第１受発光一体型素子１から出射された有効領域外のレーザビーム１５を反射して光検出部６４ａに導く。これにより、上記第１受発光一体型素子１から光検出部６５ａに入射するレーザビームの光量が増加し、第１受発光一体型素子１の出力を安定してＡＰＣ制御することができる。このとき、上記反射ミラー６５ｂで反射されずに、光検出部６４ａに直接入射するレーザビームの光量は減少していない。
【００９４】
また、上記複合素子６５を固定するための接着剤が反射ミラー６５ｂの近傍に塗付されると、反射ミラー６５ｂの反射面がその接着剤で腐食される恐れがある。しかし、上記反射ミラー６５ｂを複合素子６５の内部深くに設けているので、反射ミラー６５ｂの反射面が露出しておらず、固定用接着剤などによる腐食や劣化などが反射ミラー６５ｂの反射面に生じない。
【００９５】
図９，図１０の反射ミラー６４ｂ，６５ｂは凹面鏡であったが、平面鏡にしてもよい。つまり、上記反射ミラー６４ｂ，６５の形状は、第１受発光一体型素子１から出射された有効領域外のレーザビーム１５を反射して光検出部６４ａに導ける形状であれば何でもよい。
【００９６】
また、図１１に示すように、上記反射ミラー６４ｂ，６５ｂの反射面６４ｃ，６５ｃは、互いに異なる２方向からのレーザビームを光検出部６４ａ，６５ａに導くように湾曲させてもよい。具体的には、上記反射ミラー６４ｂ，６５ｂの反射面６４ｃ，６５ｃは、第１，第２受発光一体型素子１，２から出射された有効領域外のレーザビームを反射して光検出部６４ａ，６５ａに導くように湾曲させてもよい。この場合、上記第１，第２受発光一体型素子１，２から光検出部６４ａ，６５ａに入射する有効領域外のレーザビームの光量が増加するので、第１，第２受発光一体型素子１，２の出力を安定してＡＰＣ制御できる。
【００９７】
図１１に示すような形状の反射ミラーを用いることにより、複数の光源から出射されたレーザビームに対応でき、複数の光源の全ての出力を安定してＡＰＣ制御できる。
【００９８】
以下、本発明を図示の実施の形態により詳細に説明する。
【００９９】
図１２に、本発明の一実施の形態の光ピックアップ装置の構成を側方から見た模式図である。また、図１２において、図１，図２で示した構成部品と同一構成部品には、図１，図２における構成部品と同一参照番号を付して説明を省略する。
【０１００】
上記光ピックアップ装置では、反射ミラー７４をＤＢＳ３の近傍かつ下方に配置している。上記反射ミラー７４は、第１受発光一体型素子１から出射された有効領域外のレーザビーム１６を反射してモニタ用光検出素子９の受光面９ａに導く。
【０１０１】
上記構成の光ピックアップ装置は、上方ヘ向かう有効領域外のレーザビーム１４が反射ミラー７４で反射されてモニタ用光検出素子９の受光面９ａに入射する。これと共に、下方へ向かう有効領域外のレーザビーム１６が反射ミラー７４で反射されてモニタ用光検出素子９の受光面９ａに入射する。したがって、上記モニタ用光検出素子９の受光面９ａに入射するレーザビームの光量が増加して、第１受発光一体型素子１の出力を安定してＡＰＣ制御することができる。
【０１０２】
上記反射ミラー７４を配置する代わりに、図１３に示すように、筐体７０の一部に反射ミラー７５を設けてもよい。この反射ミラー７５は、図１２の反射ミラー７４と同様の機能を有し、第１受発光一体型素子１から出射された有効領域外のレーザビーム１６を反射してモニタ用光検出素子９の受光面９ａに導く。また、上記筐体７０はＤＢＳ３及びコリメートレンズ４を収容し、場合によっては第１，第２受発光一体型素子１，２及びモニタ用光検出素子９をも収容することがある。
【０１０３】
図１２，図１３の反射ミラー７４，７５は凹面鏡であるが、平面鏡であってもよい。つまり、上記反射ミラー７４，７５の形状は、第１受発光一体型素子１から出射された有効領域外のレーザビーム１６を反射してモニタ用光検出素子９の受光面９ａに導ける形状であれば何でもよい。
【０１０４】
また、上記反射ミラー７４，７５の反射面を、互いに異なる２方向からのレーザビームをモニタ用光検出素子９に導くように湾曲させてもよい。
【図面の簡単な説明】
【０１０５】
【図１】図１は本発明の参考例１の光ピックアップ装置の構成を側方から見た模式図である。
【図２】図２は上記参考例１の光ピックアップ装置の構成を上方から見た模式図である。
【図３】図３は本発明の参考例２の光ピックアップ装置の構成を上方から見た模式図である。
【図４】図４は上記参考例２の変形例の構成を上方から見た模式図である。
【図５】図５は本発明の参考例３の光ピックアップ装置の構成を上方から見た模式図である。
【図６】図６は本発明の参考例４の光ピックアップ装置の構成を上方から見た模式図である。
【図７】図７は本発明の参考例５の光ピックアップ装置の構成を側方から見た模式図である。
【図８】図８は本発明の参考例６の光ピックアップ装置の構成を側方から見た模式図である。
【図９】図９は上記参考例６の変形例の構成を側方から見た模式図である。
【図１０】図１０は上記参考例６の変形例の構成を側方から見た模式図である。
【図１１】図１１は上記参考例６の変形例の構成を上方から見た模式図である。
【図１２】図１２は本発明の一実施の形態の光ピックアップ装置の構成を側方から見た模式図である。
【図１３】図１３は上記実施の形態の変形例の構成を側方から見た模式図である。
【図１４】図１４は従来の光ピックアップ装置の構成を側方から見た模式図である。
【図１５】図１５は上記の光ピックアップ装置の構成を上方から見た模式図である。
【図１６】図１６は他の従来の光ピックアップ装置の構成を上方から見た模式図である。
【符号の説明】
【０１０６】
１，２，４１  受発光一体型素子
３，３３，４３，５３  ＤＢＳ
８  光ディスク
９  モニタ用光検出素子
９ａ  受光面
１０，１１，２３，２４，４２  有効領域のレーザビーム
１２，１３，２５，２６，４４  光軸
１４，１５，１６  有効領域外のレーザビーム
２１，２２  発光素子
６３，６４，６５  複合素子
６３ａ，６４ａ，６５ａ  光検出部
【図１】
2006127764.tif 000003
【図２】
2006127764.tif 000004
【図３】
2006127764.tif 000005
【図４】
2006127764.tif 000006
【図５】
2006127764.tif 000007
【図６】
2006127764.tif 000008
【図７】
2006127764.tif 000009
【図８】
2006127764.tif 000010
【図９】
2006127764.tif 000011
【図１０】
2006127764.tif 000012
【図１１】
2006127764.tif 000013
【図１２】
2006127764.tif 000014
【図１３】
2006127764.tif 000015
【図１４】
2006127764.tif 000016
【図１５】
2006127764.tif 000017
【図１６】
2006127764.tif 000018